(57)【要約】【課題】画像を結合する操作性を向上させる。【解決手段】画像データを入力する画像データ入力部と、画像データを記憶する記憶部と、前記画像データ入力部から入力された画像データおよび前記記憶部に記憶された画像データから複数の画像データを選択する操作を受付ける操作部と、前記操作部で選択された画像データを結合する結合部とを有し、前記操作部は、前記結合部が画像データを結合する前に、前記画像データ入力部から入力された画像データおよび前記記憶部に記憶された画像データから前記結合部が結合する画像データを選択する操作を受付ける。【選択図】        図１
2013034088.tif 000002
【特許請求の範囲】
【請求項１】
画像データを入力する画像データ入力部と、
画像データを記憶する記憶部と、
前記画像データ入力部から入力された画像データおよび前記記憶部に記憶された画像データから複数の画像データを選択する操作を受付ける操作部と、
前記操作部で選択された画像データを結合する結合部とを有し、
前記操作部は、前記結合部が画像データを結合する前に、前記画像データ入力部から入力された画像データおよび前記記憶部に記憶された画像データから前記結合部が結合する画像データを選択する操作を受付けることを特徴とする画像形成装置。
【請求項２】
請求項１に記載の画像形成装置において、
前記操作部は、選択した前記画像データの結合順序の入力を受付け、
前記結合部は、前記結合順序に従って前記画像データを結合することを特徴とする画像形成装置。
【請求項３】
請求項１または請求項２に記載の画像形成装置において、
前記操作部は、前記画像データの一覧から前記画像データを選択する操作を受付けることを特徴とする画像形成装置。
【請求項４】
請求項１から請求項３のいずれか１項に記載の画像形成装置において、
前記操作部は、前記画像データの頁毎に、選択操作を受付けることを特徴とする画像形成装置。
【請求項５】
請求項１から請求項４のいずれか１項に記載の画像形成装置において、
前記画像データ入力部は、スキャナ、カメラ、手書き入力装置または通信回線に接続されたコンピュータとしたことを特徴とする画像形成装置。
【請求項６】
請求項１から請求項５のいずれか１項に記載の画像形成装置において、
前記操作部は、前記結合部で結合された画像データを出力する出力先を選択する操作を受付け、
前記出力先に基づいて前記結合された画像データを出力する出力部を有することを特徴とする画像形成装置。
【発明の詳細な説明】
【技術分野】
【０００１】
本発明は、入力された複数の画像データを結合して画像を形成する画像形成装置に関する。
【背景技術】
【０００２】
従来の画像形成装置としてのプリンタや複合機は、スキャナやカメラ、ネットワーク等の複数の入力手段から画像や文字等のデータを受け入れて印刷部でそのデータを印刷用紙に再現したり、ネットワークを介して受け入れたデータをメール送信したりする機能を備えているものがある。このような画像形成装置には、複数の入力手段から入力される複数の画像を結合して出力するものもあり、入力された画像を指定する操作を行って、画像を結合するようにしている（例えば、特許文献１参照）。
【先行技術文献】
【特許文献】
【０００３】
【特許文献１】特開２００１−２８２９１４号公報（段落「０００８」〜段落「００２１」、図１）
【発明の概要】
【発明が解決しようとする課題】
【０００４】
しかしながら、従来の技術においては、画像を入力した後、入力された画像を指定するドラッグ等の操作を行って、画像を結合するようにしているため、操作が複雑になり、画像を結合させる操作性が悪いという問題がある。
本発明は、このような問題を解決することを課題とし、画像を結合する操作性を向上させることを目的とする。
【課題を解決するための手段】
【０００５】
そのため、本発明は、画像データを入力する画像データ入力部と、画像データを記憶する記憶部と、前記画像データ入力部から入力された画像データおよび前記記憶部に記憶された画像データから複数の画像データを選択する操作を受付ける操作部と、前記操作部で選択された画像データを結合する結合部とを有し、前記操作部は、前記結合部が画像データを結合する前に、前記画像データ入力部から入力された画像データおよび前記記憶部に記憶された画像データから前記結合部が結合する画像データを選択する操作を受付けることを特徴とする。
【発明の効果】
【０００６】
このようにした本発明は、画像を結合する操作性を向上させることができるという効果が得られる。
【図面の簡単な説明】
【０００７】
【図１】第１の実施例におけるＭＦＰの構成を示すブロック図
【図２】第１の実施例におけるＭＦＰの概観説明図
【図３】第１の実施例におけるジョブ結合処理の流れを示す説明図
【図４】第１の実施例におけるジョブ結合処理の流れを示すフローチャート
【図５】第１の実施例におけるジョブ結合処理の流れを示すフローチャート
【図６】第１の実施例におけるジョブ結合処理の流れを示すフローチャート
【図７】第１の実施例におけるＭＦＰメニュー画面の説明図
【図８】第１の実施例における出力先選択画面の説明図
【図９】第１の実施例における入力元選択画面の説明図（スキャナメニュー）
【図１０】第１の実施例における読取り中画面の説明図
【図１１】第１の実施例における入力元選択画面の説明図（ファイルメニュー）
【図１２】第１の実施例における入力元選択画面の説明図（ＰＣメニュー）
【図１３】第１の実施例における入力元選択画面の説明図（固定データ選択）
【図１４】第１の実施例における入力元選択画面の説明図（ジョブ選択）
【図１５】第１の実施例における入力元選択画面の説明図（固定データ配置）
【図１６】第１の実施例における入力元選択画面の説明図（確認）
【図１７】第１の実施例における入力元選択画面の説明図（ジョブ選択）
【図１８】第１の実施例における入力元選択画面の説明図（手入力データ配置）
【図１９】第１の実施例における入力元選択画面の説明図（確認）
【図２０】第１の実施例における入力元選択画面の説明図（手入力メニュー）
【図２１】第１の実施例における入力元選択画面の説明図（終了メニュー）
【図２２】第１の実施例における出力情報の説明図
【図２３】第１の実施例におけるジョブ結合情報の説明図
【図２４】第２の実施例におけるＭＦＰの構成を示すブロック図
【図２５】第２の実施例におけるジョブ結合処理の流れを示すフローチャート
【図２６】第２の実施例における入力元選択画面の説明図（スキャナメニュー）
【発明を実施するための形態】
【０００８】
以下、図面を参照して本発明による画像形成装置の実施例を説明する。
【実施例１】
【０００９】
図２は第１の実施例におけるＭＦＰの概観説明図である。
図２において、１０１は画像形成装置としてのＭＦＰ（ＭｕｌｔｉＦｕｎｃｔｉｏｎ  Ｐｅｒｉｐｈｅｒａｌ：複合機）である。このＭＦＰ１０１には、上部に読取り部２０６、下部にメイン基板３０４が配設されている。
読取り部２０６は、ＡＤＦ３０１およびＦＢ３０２の読取り方法の異なる２種類のスキャナを備え、ＡＤＦ３０１は、オートドキュメントフィーダ（自動給紙）スキャナであり、ＦＢ３０２はフラットベッドスキャナである。
【００１０】
読取り部２０６の側方には、設置台３０３に載置された操作パネル２０２が配設されている。この操作パネル２０２は、例えばコピー、メール送信、ファクシミリ送信、読取り部２０６で読取った画像データの保存、印刷、後述するジョブ結合処理を行うタスクの各機能を実行するためのユーザによる操作を受付ける。
メイン基板３０４は、ＨＤＤ（Ｈａｒｄ  Ｄｉｓｋ  Ｄｒｉｖｅ）２０４や印刷部２０５等を備えたものであり、ＭＦＰ１０１全体の動作を制御するものである。
【００１１】
図１は第１の実施例におけるＭＦＰの構成を示すブロック図である。
図１において、ＭＦＰ１０１は、ＬＡＮ（Ｌｏｃａｌ  Ａｒｅａ  Ｎｅｔｗｏｒｋ）等の通信回線１０４を介してＰＣ（Ｐｅｒｓｏｎａｌ  Ｃｏｍｐｕｔｅｒ）１０２、およびＳＭＴＰ（Ｓｉｍｐｌｅ  Ｍａｉｌ  Ｔｒａｎｓｆｅｒ  Ｐｒｏｔｏｃｏｌ）サーバ１０３に通信可能に接続されている。
【００１２】
ＰＣ１０２は、パーソナルコンピュータ等のコンピュータであり、インストールされたアプリケーションソフトウェアを用いて作成したデータを電子データとしてＭＦＰ１０１へ送信する。また、ＰＣ１０２は、電子データを送信した際に、ＭＦＰ１０１のネットワークＩＦ２１０よりエラー信号を受信した場合、ＰＣ１０２に備えたディスプレイ等の表示手段にエラーが発生した旨を表示する機能を有している。
【００１３】
ＳＭＴＰサーバ１０３は、メールサーバであり、ＭＦＰ１０１から受信したメールデータを送信先のサーバへ配信する。
ＭＦＰ１０１は、制御部２０１と、操作パネル２０２と、メモリ部２０３と、ＨＤＤ２０４と、印刷部２０５と、読取り部２０６と、ジョブ結合部２０７と、画像処理部２０８と、Ｅｍａｉｌ送信部２０９と、ネットワークＩＦ２１０と、データ受信部２１１とから構成されている。
【００１４】
制御部２０１は、ＣＰＵ（Ｃｅｎｔｒａｌ  Ｐｒｏｃｅｓｓｉｎｇ  Ｕｎｉｔ）等の制御手段および演算手段で構成され、メモリ部２０３に記憶された制御プログラム（ソフトウェア）に基づいてＭＦＰ１０１全体の動作を制御する。
画像データ入力部および操作部としての操作パネル２０２は、入力手段としてのタッチパネルを含む出力手段としてのＬＣＤ（Ｌｉｑｕｉｄ  Ｃｒｙｓｔａｌ  Ｄｉｓｐｌａｙ）パネルを備え、そのタッチパネルからの入力に対してＬＣＤに表示された、いずれかのボタンが選択入力されたかを判別し、表示画面の遷移やポップアップ画面の表示、また制御部２０１に後述する各種制御指示を出力するものである。
【００１５】
また、操作パネル２０２は、制御部２０１を介して画像処理部２０８に指示を出力し、メモリ部２０３やＨＤＤ２０４に保存されている画像データや文字データを縮小した画像をプレビュー画面として表示することができる。
さらに、操作パネル２０２は、手書き入力装置としてのタッチパネルにより手書き文字や手書き画像等を入力することができ、画像データを入力する画像データ入力部として機能する。
【００１６】
また、操作パネル２０２は、タッチパネル、読取り部２０６やＰＣ１０２等の画像データ入力部から入力された画像データおよびメモリ部２０３に記憶された画像データから複数の画像データを選択する操作を受付ける操作部として機能する。
記憶部としてのメモリ部２０３は、ＲＡＭ（Ｒａｎｄｏｍ  Ａｃｃｅｓｓ  Ｍｅｍｏｒｙ）であり、ＰＣ１０２や読取り部２０６等の画像入力手段から受け入れた画像データや文字データを記憶する一次記憶手段である。
【００１７】
ＨＤＤ２０４は、ハードディスクドライブであり、ＰＣ１０２や読取り部２０６等の画像入力手段から受け入れた画像データや文字データを画像処理部２０８でファイル化されたデータファイルとして保存しておく二次記憶手段である。
出力部としての印刷部２０５は、画像データや文字データを印刷用紙に再現する画像形成部である。この印刷部２０５は、操作パネル２０２で、画像データを出力する出力先を選択する操作を受付け、その出力先に基づいてジョブ結合部２０７で結合された画像データを出力する。
【００１８】
画像データを入力する画像データ入力部としての読取り部２０６は、スキャナであり、ユーザの操作により載置された原稿を読取り、画像データを生成するものである。なお、画像読取り手段は、図２に示すＡＤＦ３０１やＦＢ３０２等である。また、読取り部２０６は、画像データを入力するデジタルカメラ等のカメラとしても良い。
【００１９】
操作パネル２０２で選択された画像データを結合する結合部としてのジョブ結合部２０７は、ユーザの操作により操作パネル２０２で設定されたジョブ結合情報を保持するとともに、操作パネル２０２から制御部２０１を介してジョブ結合の開始の指示を受け入れて、保持したジョブ結合情報を基に、複数のジョブで入力した画像データまたは文字データを結合した結合データを生成するジョブ結合処理を行うものである。
【００２０】
ここで、ジョブとは、操作パネル２０２で設定された入力元から画像データや文字データを入力することであり、ジョブ結合情報とは、操作パネル２０２で設定された複数のジョブを結合し、結合したジョブを記述した情報である。また、結合データとは、ジョブ結合情報に基づき、それぞれのジョブにしたがって入力した画像データや文字データを結合、すなわち重ね合わせたものである。
【００２１】
また、ジョブ結合部２０７は、操作パネル２０２に表示した画面の状態に応じてネットワークＩＦ２１０を制御することにより通信回線１０４からのデータ入力を制限する。例えば、操作パネル２０２に表示した画面が「タスクメニュー」であり、かつ「ＰＣメニュー」でない場合、ＰＣ１０２から通信回線１０４を介して送信される電子データの入力を遮断することができるようになっている。
【００２２】
画像処理部２０８は、制御部２０１からの指示により、メモリ部２０３に一次記憶されている画像データや文字データをファイル化し、ＨＤＤ２０４に保存することができるものである。また、メモリ部２０３に一次記憶されている画像データや文字データを縮小し、表示用のプレビュー（表示）データとして制御部２０１を介して操作パネル２０２に出力することができるものである。
【００２３】
Ｅｍａｉｌ送信部２０９は、ジョブ結合部２０７が生成した結合データを電子メールの形式に変換し、ネットワークＩＦ２１０を介してＳＭＴＰサーバ１０３へ電子メールとして送信するものである。
ネットワークＩＦ２１０は、通信回線１０４を介してＰＣ１０２およびＳＭＴＰサーバ１０３と接続されており、ＰＣ１０２から送信される電子データを受信してデータ受信部２１１に通知する。また、ネットワークＩＦ２１０は、Ｅｍａｉｌ送信部２０９から指示を受けて電子メールの形式に変換された結合データをＳＭＴＰサーバ１０３へ送信する。
【００２４】
さらに、ネットワークＩＦ２１０は、ジョブ結合部２０７よりＰＣ１０２からの電子データの受信を遮断するように指示されている場合、ＰＣ１０２からの電子データの受信を遮断し、ＰＣ１０２にエラー信号を送信する。
データ受信部２１１は、ＰＣ１０２からネットワークＩＦ２１０を介して受信した電子データを解析し、ＭＦＰ１０１が扱うことができる画像データや文字データにデータ形式を変換し、メモリ部２０３に記憶、保存する。
【００２５】
このように構成されたＭＦＰ１０１は、画像データを入力する画像データ入力部としての読取り部２０６および操作パネル２０２を備え、また通信回線１０４を介して画像データ入力部としてのＰＣ１０２と接続されている。
また、ＭＦＰ１０１の操作パネル２０２は、結合部としてのジョブ結合部２０７が画像データを結合する前に、画像データ入力部から入力された画像データおよび記憶部に記憶された画像データから、ジョブ結合部２０７が結合する画像データを選択する操作を受付ける。
【００２６】
上述した構成の作用について説明する。
まず、ＭＦＰが行うジョブ結合処理の例を図３の第１の実施例におけるジョブ結合処理の流れを示す説明図に基づいて図１を参照しながら説明する。
【００２７】
図３において、ＭＦＰ１０１は、ＡＤＦ３０１で３ページの原稿を読取り、またＦＢ３０２で１ページの原稿を読取り、画像データを得る。また、ＭＦＰ１０１は、ＨＤＤ２０４に記憶されたファイルから１ページの原稿の画像データまたは文字データを取得し、ＰＣ１０２から３ページの原稿の画像データまたは文字データを受け入れ、ＰＣ１０２から受け入れた画像データの１ページ目に署名の画像データを付与し、さらに手書き入力の画像データまたは文字データを付与し、これらの画像データまたは文字データを結合した結合データを生成する。
【００２８】
次に、ＭＦＰが複数のジョブの入力元および複数のジョブを結合して得た結合データの出力先の入力を受け付け、入力された複数のジョブから結合データを生成し、その結合データを出力先へ送信するジョブ結合処理を図４、図５および図６の第１の実施例におけるジョブ結合処理の流れを示すフローチャートの図中Ｓで表すステップにしたがって図１を参照しながら説明する。
【００２９】
Ｓ１０１：ＭＦＰ１０１が起動すると、操作パネル２０２はＭＦＰメニュー画面を表示する。このＭＦＰメニュー画面は、ＭＦＰ１０１に実行させる機能を選択するための操作画面であり、例えば図７に示すように、コピー機能を選択するための「コピー」ボタン４０１、電子メール送信機能を選択するための「メール」ボタン４０２、ファクシミリ送信機能を選択するための「ファックス」ボタン４０３、画像データを保存する機能を選択するための「格納」ボタン４０４、印刷機能を選択するための「プリント」ボタン４０５、およびジョブ結合機能を選択するための「タスク」ボタン４０６を表示した画面である。
【００３０】
Ｓ１０２：ユーザが図７に示すＭＦＰメニュー画面の「タスク」ボタン４０６を押下すると、操作パネル２０２は「タスク」ボタン４０６の押下を検知する。
Ｓ１０３：操作パネル２０２が「タスク」ボタン４０６の押下を検知すると、操作パネル２０２はタスクメニュー画面を表示するとともに、制御部２０１に対してＰＣ１０２からのデータの受信を遮断するように指示する。
【００３１】
このタスクメニュー画面は、結合データの出力先を選択するための画面であり、図８に示すように、結合データを印刷部２０５で印刷する「プリント」ボタン５０１、結合データを電子メールで送信する「メール」ボタン５０２、結合データをファクシミリで送信する「ファックス」ボタン５０３、および画像データをＨＤＤ２０４に保存する「格納」ボタン５０４並びに「確認」ボタン５０５、「次へ」ボタン５０６ａ、および「戻る」ボタン５０７を表示した画面である。
【００３２】
また、ＰＣ１０２からのデータの受信を遮断する指示を受けた制御部２０１は、データ受信部２１１に対してＰＣ１０２からのデータの受信を遮断する指示を出力し、データ受信部２１１はネットワークＩＦ２１０を制御してＰＣ１０２からのデータの受信を遮断する。
【００３３】
Ｓ１０４ａ〜Ｓ１０４ｇ：操作パネル２０２は、「プリント」ボタン５０１、「メール」ボタン５０２、「ファックス」ボタン５０３、「格納」ボタン５０４、または「次へ」ボタン５０６ａの押下を検知し、押下されたボタンに対応するＳ１０５、Ｓ１０８、Ｓ１１１、Ｓ１１４、または図５に示すＳ１１７の処理へ移行する。なお、「確認」ボタン５０５が押下された場合は処理をＳ１０３へ移行し、「戻る」ボタン５０７は押下不可能になっている。
【００３４】
Ｓ１０５：操作パネル２０２は、「プリント」ボタン５０１の押下を検知する。
Ｓ１０６：「プリント」ボタン５０１の押下を検知した操作パネル２０２は、プリントメニュー画面を表示する。このプリントメニュー画面は、タスクメニュー画面の一部に、プリント設定（部数、割付、用紙サイズ等）を入力するために表示される画面である。
【００３５】
Ｓ１０７：ユーザは操作パネル２０２に接続されているキーボード等の図示しない入力手段でプリント設定（部数、割付、用紙サイズ等）を入力するものとし、操作パネル２０２はその入力操作を受け付け、処理をＳ１０３へ移行する。
Ｓ１０８：操作パネル２０２は、「メール」ボタン５０２の押下を検知する。
【００３６】
Ｓ１０９：「メール」ボタン５０２の押下を検知した操作パネル２０２は、メールメニュー画面を表示する。このメールメニュー画面は、メール設定を入力するための画面であり、例えば図８に示すように、タスクメニュー画面の一部に、電子メールの送信先を入力するための宛先５０２ａおよび結合ジョブのファイル名を入力するための結合後ファイル名称５０２ｂ等を表示する画面である。
【００３７】
Ｓ１１０：ユーザは操作パネル２０２に接続されているキーボード等の図示しない入力手段で電子メールの宛先を入力するものとし、操作パネル２０２はその入力操作を受け付け、処理をＳ１０３へ移行する。
Ｓ１１１：操作パネル２０２は、「ファックス」ボタン５０３の押下を検知する。
【００３８】
Ｓ１１２：「ファックス」ボタン５０３の押下を検知した操作パネル２０２は、ファックスメニュー画面を表示する。このファックスメニュー画面は、タスクメニュー画面の一部に、ファックス設定（宛先等）を入力するために表示される画面である。
Ｓ１１３：ユーザは操作パネル２０２に接続されているキーボード等の図示しない入力手段でファックス設定（宛先等）を入力するものとし、操作パネル２０２はその入力操作を受け付け、処理をＳ１０３へ移行する。
【００３９】
Ｓ１１４：操作パネル２０２は、「格納」ボタン５０４の押下を検知する。
Ｓ１１５：「格納」ボタン５０４の押下を検知した操作パネル２０２は、格納メニュー画面を表示する。この格納メニュー画面は、タスクメニュー画面の一部に、格納設定（ファイル名称等）を入力するために表示される画面である。
【００４０】
Ｓ１１６：ユーザは操作パネル２０２に接続されているキーボード等の図示しない入力手段で格納設定（ファイル名称等）を入力するものとし、操作パネル２０２はその入力操作を受け付け、処理をＳ１０３へ移行する。
なお、本実施例では、「メール」ボタン５０２が押下されたときの処理を説明するものとする。
【００４１】
Ｓ１０８〜Ｓ１１０において、電子メールの宛先を入力したユーザは、タスクメニュー画面の「次へ」ボタン５０６ａを押下するものとし、「次へ」ボタン５０６ａが押下されると処理を図５に示すＳ１１７へ移行する。（Ｓ１０４ｇ）
図５の説明に移り、
Ｓ１１７：操作パネル２０２は「次へ」ボタン５０６ａが押下されたことを検知する。
【００４２】
Ｓ１１８：「次へ」ボタン５０６ａが押下されたことを検知した操作パネル２０２は、入力された電子メールの宛先（出力先）を出力情報として制御部２０１へ通知する。制御部２０１は、通知された出力情報の出力先が一つ以上入力されているか否かを判定し、一つ以上入力されている場合は処理をＳ１２０へ移行し、一つ以上入力されていていない場合は処理をＳ１１９へ移行する。
【００４３】
Ｓ１１９：一つ以上入力されていていない場合、制御部２０１は、操作パネル２０２に警告を表示して処理を図４に示すＳ１０３へ戻る。
Ｓ１２０：一つ以上入力されている場合、制御部２０１は、入力された出力先情報をメモリ部２０３に記憶させる。メモリ部２０３に記憶させる出力先情報は、例えば図２２に示すように、電子メールの宛先を「ａａａ＠ｂｂｂ．ｃｏｍ」としたものである。
【００４４】
Ｓ１２１：操作パネル２０２は、制御部２０１の指示により、ジョブの入力元を入力する入力元入力画面としてのタスクメニュー画面を表示する。このタスクメニュー画面は、例えば図９に示すように、入力元を選択するための「スキャナから」ボタン５０８、「ファイルから」ボタン５０９、「ＰＣから」ボタン５１０、「固定データから」ボタン５１１、および「手入力」ボタン５１２並びに「確認」ボタン５０５、「終了」ボタン５０６ｂ、および「戻る」ボタン５０７を表示する画面である。
【００４５】
「スキャナから」ボタン５０８、「ファイルから」ボタン５０９、「ＰＣから」ボタン５１０、「固定データから」ボタン５１１、および「手入力」ボタン５１２のそれぞれのボタンを押下すると、押下されたボタンに対応したメニュー画面が表示される。なお、タスクメニュー画面を表示した際は、初期状態として図９に示すようにスキャナメニューが表示される。
【００４６】
Ｓ１２２ａ〜Ｓ１２２ｇ（Ｓ１２２ｆ、Ｓ１２２ｇは図６に示す）：操作パネル２０２は、「スキャナから」ボタン５０８、「ファイルから」ボタン５０９、「ＰＣから」ボタン５１０、「固定データから」ボタン５１１、「手入力」ボタン５１２、「確認」ボタン５０５、または「終了」ボタン５０６ｂの押下を検知し、押下されたボタンに対応するＳ１２３、Ｓ１２９、Ｓ１３４、Ｓ１４０、Ｓ１４９、Ｓ１５９またはＳ１６５（Ｓ１５９、Ｓ１６５は図６に示す）の処理へ移行する。
なお、操作パネル２０２は、「戻る」ボタン５０７の押下を検知した場合、処理をＳ１０３へ移行する（Ｓ１２２ｇ：ＮＯ）。
【００４７】
Ｓ１２３：Ｓ１２２ａにおいて「スキャナから」ボタン５０８が押下されると、操作パネル２０２は、「スキャナから」ボタン５０８の押下を検知する。
Ｓ１２４：「スキャナから」ボタン５０８の押下を検知した操作パネル２０２は、スキャナメニューをタスクメニュー画面に表示する。このスキャナメニューは、例えば図９のスキャナメニュー６０１に示すように、原稿を読取るための設定情報として解像度、カラー／モノクロ、原稿サイズ、名称の入力欄が設けられたものである。
【００４８】
Ｓ１２５：ユーザは操作パネル２０２に接続されたキーボードを操作するか、あるいは操作パネル２０２のタッチパネルに触れることで設定情報を入力するものとする。
Ｓ１２６：ユーザが読取り部２０６に原稿を載置し、スキャナメニューの「開始」ボタンを押下すると、操作パネル２０２は「開始」ボタンの押下を検知する。
【００４９】
Ｓ１２７：「開始」ボタンの押下を検知した操作パネル２０２は、原稿の読み取りを制御部２０１へ指示し、制御部２０１は読取り部２０６に指示して原稿の読み取りを開始する。また、操作パネル２０２は、例えば図１０に示すように原稿を読取っている旨を示す「原稿読み取り中です」６０２等の表示を行う。
Ｓ１２８：制御部２０１は、原稿の読み取りを完了すると、読取り部２０６から読取った原稿の画像データを受け取り、その画像データをメモリ部２０３に保存し、処理をＳ１５８へ移行する。
【００５０】
Ｓ１５８：原稿の読み取りを完了した制御部２０１は、ジョブ結合部２０７が保持するジョブ結合情報を更新する。ここで、今回のジョブ結合情報の更新は、１回目であるため、ジョブ結合部２０７には未だジョブ結合情報が存在しない。このようにジョブ結合情報が存在しない場合、制御部２０１は、新規で空のジョブ結合情報を生成し、そのジョブ結合情報をジョブ結合部２０７に保存する。
【００５１】
ジョブ結合情報の更新が完了すると処理はＳ１２１に戻り、操作パネル２０２は、再びタスクメニュー画面の表示を行い、「スキャナから」ボタン５０８、「ファイルから」ボタン５０９、「ＰＣから」ボタン５１０、「固定データから」ボタン５１１、「手入力」ボタン５１２、「確認」ボタン５０５、「終了」ボタン５０６ｂ、または「戻る」ボタン５０７を選択できるようにする。
【００５２】
Ｓ１２９：Ｓ１２２ｂにおいて「ファイルから」ボタン５０９が押下されると、操作パネル２０２は、「ファイルから」ボタン５０９の押下を検知する。
Ｓ１３０：「ファイルから」ボタン５０９の押下を検知した操作パネル２０２は、ファイルメニューをタスクメニュー画面に表示する。このファイルメニューは、例えば図１１のファイルメニュー６０３に示すように、現在ＨＤＤ２０４に保存されているすべてのファイルが一覧表の形式で表示されたものである。
【００５３】
Ｓ１３１：ユーザは操作パネル２０２に接続されたキーボードを操作するか、あるいは操作パネル２０２のタッチパネルに触れることで表示されたファイルのいずれか１つを選択するものとする。このように、操作パネル２０２は、一覧表の形式で表示されたファイルから入力するファイルを選択する操作を受け付けることにより、操作性を向上させることができる。
【００５４】
Ｓ１３２：ユーザがファイルメニューの「開始」ボタンを押下すると、操作パネル２０２は「開始」ボタンの押下を検知し、制御部２０１に選択されたファイルを画像データ・文字データに変換してその画像データ・文字データをメモリ部２０３に保存するように指示する。
Ｓ１３３：制御部２０１は、画像処理部２０８に指示を出力して選択されたファイルを画像データ・文字データに変換し、変換された画像データ・文字データをメモリ部２０３に記憶、保存し、処理をＳ１５８へ移行する。
【００５５】
Ｓ１５８：画像データ・文字データの保存を完了した制御部２０１は、ジョブ結合部２０７が保持するジョブ結合情報を更新する。ここで、今回のジョブ結合情報の更新は、２回目であるため、制御部２０１は、ジョブ結合部２０７に保存されたジョブ結合情報と、メモリ部２０３に保存した画像データ・文字データとを結合し、新たなジョブ結合情報を生成し、そのジョブ結合情報をジョブ結合部２０７に保存する。
【００５６】
ジョブ結合情報の更新が完了すると処理はＳ１２１に戻り、操作パネル２０２は、再びタスクメニュー画面の表示を行い、「スキャナから」ボタン５０８、「ファイルから」ボタン５０９、「ＰＣから」ボタン５１０、「固定データから」ボタン５１１、「手入力」ボタン５１２、「確認」ボタン５０５、「終了」ボタン５０６ｂ、または「戻る」ボタン５０７を選択できるようにする。
【００５７】
Ｓ１３４：Ｓ１２２ｃにおいて「ＰＣから」ボタン５１０が押下されると、操作パネル２０２は、「ＰＣから」ボタン５１０の押下を検知する。
Ｓ１３５：「ＰＣから」ボタン５１０の押下を検知した操作パネル２０２は、ＰＣメニューをタスクメニュー画面に表示する。このＰＣメニューは、例えば図１２のＰＣメニュー６０４に示すように、ＰＣ１０２からデータを送信するように促す表示がされたものである。
【００５８】
Ｓ１３６：ユーザがＰＣメニューの「開始」ボタンを押下すると、操作パネル２０２は「開始」ボタンの押下を検知し、データ受信部２１１にＰＣ１０２からのデータを受信するように指示する。
Ｓ１３７：データ受信部２１１は、ＰＣ１０２からのデータを受信可能とし、ＰＣ１０２からのデータの受信を待機する。
Ｓ１３８：データ受信部２１１は、ＰＣ１０２からのデータ受信を開始するとともに、操作パネル２０２は、ＰＣメニューにデータ受信中である旨の表示を行う。
【００５９】
Ｓ１３９：制御部２０１は、データ受信部２１１で受信したデータを解析し、画像処理部２０８でそのデータを画像データ・文字データに変換し、変換した画像データ・文字データをメモリ部２０３に記憶、保存し、処理をＳ１５８に移行する。このとき、操作パネル２０２は、図１２のＰＣメニュー６０４に示すように、ＰＣ１０２から受信したデータを「ドキュメント名＝ａａａ．ｄｏｃ」等で表示し、変換した画像データ・文字データがメモリ部２０３に保存されると「受信完了」等の表示を行う。
【００６０】
ここで、制御部２０１は、データ受信部２１１に対してＰＣ１０２からのデータの受信を遮断する指示を出力し、データ受信部２１１はネットワークＩＦ２１０を制御してＰＣ１０２からのデータの受信を遮断する。
【００６１】
Ｓ１５８：画像データ・文字データの保存を完了した制御部２０１は、ジョブ結合部２０７が保持するジョブ結合情報を更新する。ここで、今回のジョブ結合情報の更新は、２回目以降であるため、制御部２０１は、ジョブ結合部２０７に保存されたジョブ結合情報と、メモリ部２０３に保存した画像データ・文字データとを結合し、新たなジョブ結合情報を生成し、そのジョブ結合情報をジョブ結合部２０７に保存する。
【００６２】
ジョブ結合情報の更新が完了すると処理はＳ１２１に戻り、操作パネル２０２は、再びタスクメニュー画面の表示を行い、「スキャナから」ボタン５０８、「ファイルから」ボタン５０９、「ＰＣから」ボタン５１０、「固定データから」ボタン５１１、「手入力」ボタン５１２、「確認」ボタン５０５、「終了」ボタン５０６ｂ、または「戻る」ボタン５０７を選択できるようにする。
【００６３】
Ｓ１４０：Ｓ１２２ｄにおいて「固定データから」ボタン５１１が押下されると、操作パネル２０２は、「固定データから」ボタン５１１の押下を検知する。
Ｓ１４１：「固定データから」ボタン５１１の押下を検知した操作パネル２０２は、固定データメニューをタスクメニュー画面に表示する。この固定データメニューは、例えば図１３の固定データメニュー６０５ａに示すように、ＨＤＤ２０４に保存されている固定データが一覧表の形式で表示されたものである。
【００６４】
Ｓ１４２：ユーザは操作パネル２０２に接続されたキーボードを操作するか、あるいは操作パネル２０２のタッチパネルに触れることで表示された固定データを選択するものとする。このように、操作パネル２０２は、一覧表の形式で表示された固定データから入力する固定データを選択する操作を受け付けることにより、操作性を向上させることができる。本実施例では、「署名」の固定データが選択されるものとし、固定データメニュー内の「次へ」ボタンが押下されるものとする。
【００６５】
「次へ」ボタンの押下を検知した操作パネル２０２は、固定データを挿入するジョブをユーザに選択させるため、現在までに構成されたジョブの一覧からなる固定データメニューを表示する。この固定データメニューは、例えば図１４の固定データメニュー６０５ｂに示すように、現在までに構成されたジョブの一覧を、ジョブ番号、入力元、名称等で表示するものである。
【００６６】
本実施例では、ジョブ番号が「３」、入力元が「ＰＣ」、名称が「ドキュメント名＝ａａａ．ｄｏｃ」が選択され、「開始」ボタンが押下されるものとする。なお、このとき「新規のファイル」を選択することもできる。
【００６７】
Ｓ１４３：「開始」ボタンの押下を検知した操作パネル２０２は、プレビュー画面を表示する。このプレビュー画面は、例えば図１５のプレビュー画面６０５ｃに示すように、Ｓ１４２において選択されたジョブであるジョブ番号が「３」、入力元が「ＰＣ」、名称が「ドキュメント名＝ａａａ．ｄｏｃ」のデータを表示したものである。
【００６８】
Ｓ１４４：また、プレビュー画面の任意の位置がユーザの指等でタッチされると、操作パネル２０２は選択された固定データとしての「署名」をプレビュー画面上のタッチされた位置に重ね合わせて表示する。
【００６９】
Ｓ１４５：ユーザは、固定データとしての「署名」が表示される位置や内容をプレビュー画面で確認し、図１５に示す「確定」ボタン６０５ｄを押下して画像の重ね合わせを確定させるものとする。「確定」ボタンの押下を検知した操作パネル２０２は、図１６の固定データメニュー６０５ｅに示す画面を表示し、ユーザはプレビュー画面で確認した内容でジョブを結合する場合は「開始」ボタンを押下するものとする。
【００７０】
Ｓ１４６：「開始」ボタンの押下を検知した操作パネル２０２は、画像形成部２０８へ選択された固定データとジョブとの合成を指示する。
Ｓ１４７：画像形成部２０８は、メモリ部２０３に記憶されたジョブ結合情報からＳ１４２において選択された固定データおよびジョブに基づいて画像データ・文字データを取得する。
【００７１】
Ｓ１４８：画像形成部２０８は、選択された固定データに基づく画像データ・文字データを、選択されたジョブに基づいて取得した画像データ・文字データのＳ１４５において確定された位置に重ね合わせて合成し、合成した後の画像データ・文字データをメモリ部２０３に記憶、保存し、処理をＳ１５８へ移行する。
【００７２】
Ｓ１５８：画像データ・文字データの保存を完了した制御部２０１は、ジョブ結合部２０７が保持するジョブ結合情報を更新する。ここで、今回のジョブ結合情報の更新は、２回目以降であるため、制御部２０１は、ジョブ結合部２０７に保存されたジョブ結合情報と、メモリ部２０３に保存した画像データ・文字データとを結合し、新たなジョブ結合情報を生成し、そのジョブ結合情報をジョブ結合部２０７に保存する。
【００７３】
ジョブ結合情報の更新が完了すると処理はＳ１２１に戻り、操作パネル２０２は、再びタスクメニュー画面の表示を行い、「スキャナから」ボタン５０８、「ファイルから」ボタン５０９、「ＰＣから」ボタン５１０、「固定データから」ボタン５１１、「手入力」ボタン５１２、「確認」ボタン５０５、「終了」ボタン５０６ｂ、または「戻る」ボタン５０７を選択できるようにする。
【００７４】
Ｓ１４９：Ｓ１２２ｅにおいて「手入力」ボタン５１２が押下されると、操作パネル２０２は、「手入力」ボタン５１２の押下を検知する。
Ｓ１５０：「手入力」ボタン５１２の押下を検知した操作パネル２０２は、手入力の文字等を挿入するジョブをユーザに選択させるため、手入力メニューをタスクメニュー画面に表示する。この手入力メニューは、例えば図１７の手入力メニュー６０６に示すように、現在までに構成されたジョブの一覧を、ジョブ番号、入力元、名称等で表示するものである。
【００７５】
Ｓ１５１：ユーザは操作パネル２０２に接続されたキーボードを操作するか、あるいは操作パネル２０２のタッチパネルに触れることで表示されたジョブを選択するものとする。
本実施例では、ジョブ番号が「３」、入力元が「プリンタ」、名称が「ドキュメント名＝ａａａ．ｄｏｃ」が選択され、「開始」ボタンが押下されるものとする。なお、このとき「新規のファイル」を選択することもできる。
【００７６】
Ｓ１５２：「開始」ボタンの押下を検知した操作パネル２０２は、プレビュー画面を表示する。このプレビュー画面は、例えば図１８のプレビュー画面６０７に示すように、Ｓ１５１において選択されたジョブであるジョブ番号が「３」、入力元が「ＰＣ」、名称が「ドキュメント名＝ａａａ．ｄｏｃ」のデータを表示したものである。
Ｓ１５３：また、ユーザは操作パネル２０２に接続されたキーボードを操作するか、あるいは操作パネル２０２のタッチパネルに触れることで文字等を手入力し、プレビュー画面の任意の位置を指等でタッチするものとする。
【００７７】
プレビュー画面の任意の位置がユーザの指等でタッチされると、操作パネル２０２は手入力された文字等をプレビュー画面上のタッチされた位置に重ね合わせて表示する。
【００７８】
Ｓ１５４：ユーザは、手入力した文字等が表示される位置や内容をプレビュー画面で確認し、図１８に示す「確定」ボタン６０７ａを押下して画像の重ね合わせを確定させるものとする。「確定」ボタンの押下を検知した操作パネル２０２は、図１９の手入力メニュー６０８に示す画面を表示し、ユーザはプレビュー画面で確認した内容でジョブを結合する場合は「開始」ボタンを押下するものする。
【００７９】
Ｓ１５５：「開始」ボタンの押下を検知した操作パネル２０２は、画像形成部２０８へ手入力された文字等と選択されたジョブとの合成を指示する。
Ｓ１５６：画像形成部２０８は、メモリ部２０３に記憶されたジョブ結合情報からＳ１５１において選択されたジョブに基づいて画像データ・文字データを取得する。
【００８０】
Ｓ１５７：画像形成部２０８は、手入力された文字等に基づく画像データ・文字データを、選択されたジョブに基づいて取得した画像データ・文字データのＳ１５４において確定された位置に重ね合わせて合成し、合成した後の画像データ・文字データをメモリ部２０３に記憶、保存し、処理をＳ１５８へ移行する。
【００８１】
Ｓ１５８：画像データ・文字データの保存を完了した制御部２０１は、ジョブ結合部２０７が保持するジョブ結合情報を更新する。ここで、今回のジョブ結合情報の更新は、２回目以降であるため、制御部２０１は、ジョブ結合部２０７に保存されたジョブ結合情報と、メモリ部２０３に保存した画像データ・文字データとを結合し、新たなジョブ結合情報を生成し、そのジョブ結合情報をジョブ結合部２０７に保存する。
【００８２】
ジョブ結合情報の更新が完了すると処理はＳ１２１に戻り、操作パネル２０２は、再びタスクメニュー画面の表示を行い、「スキャナから」ボタン５０８、「ファイルから」ボタン５０９、「ＰＣから」ボタン５１０、「固定データから」ボタン５１１、「手入力」ボタン５１２、「確認」ボタン５０５、「終了」ボタン５０６ｂ、または「戻る」ボタン５０７を選択できるようにする。
【００８３】
図６の説明に移り、
Ｓ１５９：上述した処理でジョブ結合情報が生成されたことにより、ＭＦＰ１０１は、「確認」ボタン５０５の押下を受付けることができるようになり、Ｓ１２２ｆにおいて「確認」ボタン５０５が押下されると、操作パネル２０２は、「確認」ボタン５０５の押下を検知する。
【００８４】
Ｓ１６０：操作パネル２０２が「確認」ボタン５０５の押下を検知すると、制御部２０１は、メモリ部２０３に保存されたジョブ結合情報を取得する。
Ｓ１６１：操作パネル２０２は、制御部２０１により取得されたジョブ結合情報に基づいて確認画面（ジョブ結合情報）を表示する。この確認画面は、例えば図２０に示すように、現在までに入力されたジョブを順に表示したものである。なお、この確認画面では、入力されたジョブの順序を変更することもできるようになっている。
【００８５】
Ｓ１６２：操作パネル２０２で入力されたジョブの順序を変更するユーザの操作を受付けた場合、制御部２０１は入力された順序に基づいてジョブ結合情報を編集する。
Ｓ１６３：ユーザは、変更したジョブの順序を確認して「確認」ボタン５０５を押下するものとする。
【００８６】
Ｓ１６４：操作パネル２０２が「確認」ボタン５０５の押下を検知すると、制御部２０１は編集されたジョブ結合情報をジョブ結合部２０７に保存してジョブ結合情報を更新する。ジョブ結合情報の更新が完了すると処理を図５に示すＳ１２１に戻し、再びタスクメニュー画面の表示を行い、「スキャナから」ボタン５０８、「ファイルから」ボタン５０９、「ＰＣから」ボタン５１０、「固定データから」ボタン５１１、「手入力」ボタン５１２、「確認」ボタン５０５、「終了」ボタン５０６ｂ、または「戻る」ボタン５０７を選択できるようにする。
【００８７】
Ｓ１６５：ユーザはジョブの順序を確認すると、図２１に示す画面の「終了」ボタン５０６ｂを押下するものとし、Ｓ１２２ｇにおいて「終了」ボタン５０６ｂが押下されると、操作パネル２０２は、「終了」ボタン５０６ｂの押下を検知する。
Ｓ１６６：操作パネル２０２が「終了」ボタン５０６ｂの押下を検知すると、制御部２０１は、メモリ部２０３に保存されたジョブ結合情報を取得する。
【００８８】
Ｓ１６７：制御部２０１は、取得したジョブ結合情報に基づいて結合データを生成するジョブ結合処理を行う。
Ｓ１６８：ジョブ結合処理を終了した制御部２０１は、メモリ部２０３に保存された出力先情報を取得する。
【００８９】
Ｓ１６９：制御部２０１は、取得した出力先情報にしたがってジョブ結合情報に基づいて結合した結合データを出力する出力処理を行う。本実施例では、Ｅｍａｉｌ送信が指定されているので、Ｅｍａｉｌ送信部２０９に指示してジョブ結合情報に基づいて結合した結合データを電子メールとして送信し、ジョブ結合処理を終了する。
【００９０】
ここで、Ｓ１３３において、ファイルを画像データに変換する処理を説明する。
ＨＤＤ２０４には、ビットマップ形式の画像データファイルおよびテキスト形式のテキストデータファイルのいずれかが格納されているものとし、それらのファイルはファイル名等のヘッダ部および画像データまたはテキスト（文字）データのデータ部で構成されているものとする。
【００９１】
画像データファイルを画像データに変換する処理は、画像データファイルのヘッダ部の情報を抜き取り、データ部の画像データのみを抽出したデータとすることであり、テキストデータファイルを文字データに変換する処理は、テキストデータファイルのヘッダ部の情報を抜き取り、データ部のテキスト（文字）データのみを抽出したデータとすることである。
【００９２】
上述したジョブ結合処理において、ＭＦＰ１０１は、ジョブ結合部２０７が画像データを結合する前に、操作パネル２０２で、画像データ入力部から入力された画像データおよびメモリ部２０３に記憶された画像データから、ジョブ結合部２０７が結合する画像データを選択する操作を受付け、さらに操作パネル２０２は、選択した画像データの結合順序の入力を受付け、入力された結合順序に従って選択された画像データをジョブ結合部２０７で結合する。
【００９３】
このようにＭＦＰ１０１は、ジョブを結合する前に、入力元を指定する操作を受け付けるようにしたことにより、入力元から画像データや文字データを入力した後に、結合する画像データや文字データを選択する操作や画像データや文字データを結合する順序を指定する必要がなくなり、操作性を向上させることができる。
また、ＭＦＰ１０１は、ジョブを結合する前に、ジョブの結合順序を修正・変更する操作を受け付けるようにしたことにより、ジョブの結合順序を修正・変更する場合の操作性を向上させることができる。
【００９４】
以上説明したように、第１の実施例では、ジョブを結合する前に、入力元を指定する操作を受け付けるようにしたことにより、操作性を向上させることができるという効果が得られる。
また、ジョブを結合する前に、ジョブの結合順序を修正・変更する操作を受け付けるようにしたことにより、ジョブの結合順序を修正・変更する場合の操作性を向上させることができるという効果が得られる。
【実施例２】
【００９５】
第２の実施例の構成は、第１の実施例の構成に読取り制御部を追加したものとしている。その第２の実施例の構成を図２４の第２の実施例におけるＭＦＰの構成を示すブロック図に基づいて説明する。なお、上述した第１の実施例と同様の部分は、同一の符号を付してその説明を省略する。
【００９６】
図２４において、読取り制御部４０１は、原稿を読取り部２０６で読取る場合の制御処理、読取り部２０６で読取った原稿の操作パネル２０２へのプレビュー表示処理、およびプレビュー表示している画像データの一部分を抜き出す処理等を行うものである。
【００９７】
上述した構成の作用について説明する。
ＭＦＰが行うジョブ結合処理において、ジョブの入力元をスキャナとした場合の処理を図２５の第２の実施例におけるジョブ結合処理の流れを示すフローチャートの図中Ｓで表すステップにしたがって図２４を参照しながら説明する。
【００９８】
なお、第１の実施例の処理と異なる処理であるＳ２０１、Ｓ２０２およびＳ２０３を以下に説明するものとし、その他の処理は図４および図５におけるＳ１０１〜Ｓ１６９（Ｓ１２４およびＳ１２８を除く）と同様の処理なのでその説明を省略する。また、Ｓ２０１およびＳ２０３は、図５におけるＳ１２４およびＳ１２８に対応する処理である。
Ｓ１２１〜Ｓ１２３：図５におけるＳ１２１〜Ｓ１２３と同様の処理なのでその説明を省略する。
【００９９】
Ｓ２０１：「スキャナから」ボタン５０８の押下を検知した操作パネル２０２は、スキャナメニューをタスクメニュー画面に表示する。このスキャナメニューは、例えば図２６のスキャナメニュー７０１に示すように、原稿を読取るための設定情報として解像度、カラー／モノクロ、原稿サイズ、名称の入力欄、および原稿を１枚ずつ読み取ることを指定するチェックボックスが設けられたものである。
【０１００】
このチェックボックスは、ＡＤＦ３０１に載置された原稿を１枚ずつ読み取って、ユーザが読み取った原稿を確認しながらジョブを結合する場合にチェックを入力するものであり、チェックを入力することにより原稿を１枚ずつ読み取るモードにすることができるようになっている。
【０１０１】
Ｓ１２５：図５におけるＳ１２５と同様の処理なのでその説明を省略する。
Ｓ２０２：さらに、本実施例では、ユーザは操作パネル２０２に接続されたキーボードを操作するか、あるいは操作パネル２０２のタッチパネルに触れることで原稿を１枚ずつ読み取ることを指定する「一枚ずつ読み取り」チェックボックスにチェックを入力するものとする。
【０１０２】
Ｓ１２６、Ｓ１２７：図５におけるＳ１２６、Ｓ１２７と同様の処理なのでその説明を省略する。
Ｓ２０３：制御部２０１は、１枚毎に原稿の読み取りを完了すると、読取り部２０６から読取った1枚の原稿の画像データを受け取り、その画像データをメモリ部２０３に保存する。読取り部２０６ですべての原稿の読み取りを完了すると、処理をＳ１５８へ移行する。
Ｓ１５８：図５におけるＳ１５８と同様の処理なのでその説明を省略する。
【０１０３】
なお、本実施例では、Ｓ１６１において、操作パネル２０２が表示する確認画面（ジョブ結合情報）は、読取り部２０６で読取った原稿の1枚を１つのジョブとして表示するものとし、Ｓ１６２では、読取り部２０６で読取った原稿1枚毎に、すなわち画像データの頁毎に、操作パネル２０２で選択操作や結合順序を指定する操作を受付け、結合順序等を変更することもできるものとする。
【０１０４】
このようにＭＦＰ１０１は、ジョブを結合する際に、読取り部２０６で原稿を１枚ずつ読取るようにしたことにより、読取った原稿の結合順序をページ毎に指定（例えば、読み取った原稿の１ページ目を１番目、３ページ目を２番目、２ページ目を３番目に指定）することができるようになり、さらに操作性を向上させることができる。
【０１０５】
以上説明したように、第２の実施例では、第１の実施例の効果に加え、ジョブを結合する際に、読取り部で原稿を１枚ずつ読取るようにしたことにより、読取った原稿の結合順序をページ毎に指定することができるようになり、さらに操作性を向上させることができるという効果が得られる。
【０１０６】
なお、第１の実施例および第２の実施例では、図４のＳ１０４ａ〜Ｓ１０４ｄにおいて、出力先をメール送信する例として説明したが、それに限られることなく、プリントボタン、ファックスボタン、格納ボタンを押下した場合は、出力先としてそれぞれ印刷部による印刷、ファクシミリ送信を行うファックス送信部によるファクシミリ送信、ＨＤＤへの格納が選択されるものとする。
また、第１の実施例および第２の実施例では、図４において出力先としての宛先を１箇所指定する例で説明したが、複数個所を指定するようにしても良い。
【０１０７】
さらに、第１の実施例および第２の実施例では、図６のＳ１６７のジョブ結合処理において、単にジョブ結合情報に基づいて結合データを生成するようにしたが、結合後の結合データに先頭ページから最終ページに対してページ番号を付与する処理を加えるようにしても良い。これにより、結合データがひとつのデータであることを明示することができる。
【０１０８】
また、第２の実施例において、読取り部からの入力に使用する原稿は、両面に印刷された原稿であっても良い。この場合、おもて面を読取った時点で読取り部からの読取り動作を一時停止すればおもて面と裏面を別のジョブとすることができる。
【符号の説明】
【０１０９】
１０１  ＭＦＰ
１０２  ＰＣ
１０３  ＳＭＴＰサーバ
２０１  制御部
２０２  操作パネル
２０３  メモリ部
２０４  ＨＤＤ
２０５  印刷部
２０６  読取り部
２０７  ジョブ結合部
２０８  画像処理部
２０９  Ｅｍａｉｌ送信部
２１０  ネットワークＩＦ
２１１  データ受信部
４０１  読取り制御部
【図１】
2013034088.tif 000003
【図２】
2013034088.tif 000004
【図３】
2013034088.tif 000005
【図４】
2013034088.tif 000006
【図５】
2013034088.tif 000007
【図６】
2013034088.tif 000008
【図７】
2013034088.tif 000009
【図８】
2013034088.tif 000010
【図９】
2013034088.tif 000011
【図１０】
2013034088.tif 000012
【図１１】
2013034088.tif 000013
【図１２】
2013034088.tif 000014
【図１３】
2013034088.tif 000015
【図１４】
2013034088.tif 000016
【図１５】
2013034088.tif 000017
【図１６】
2013034088.tif 000018
【図１７】
2013034088.tif 000019
【図１８】
2013034088.tif 000020
【図１９】
2013034088.tif 000021
【図２０】
2013034088.tif 000022
【図２１】
2013034088.tif 000023
【図２２】
2013034088.tif 000024
【図２３】
2013034088.tif 000025
【図２４】
2013034088.tif 000026
【図２５】
2013034088.tif 000027
【図２６】
2013034088.tif 000028